(57)【要約】【課題】光源が拡散されて発光点の外部から見えない照明装置を提供する。【解決手段】本考案の発光点が外部から見えない照明装置は、ケーシング１０、光源からの光を均一に拡散させる材料から製造されたカバー２０、光源モジュール３０、第１の接触部４０および第２の接触部５０から構成される。以上の構造によって、光源モジュール３０から放出された光はカバー２０によって均一に拡散され、発光点が消滅し、複数の発光素子３２の発光点は外部から見えない。【選択図】図１
0003148022.tif 000002
【実用新案登録請求の範囲】
【請求項１】
両側部に溝部を有するケーシングと、
前記ケーシングに蓋設されて収容空間を形成し、両側部に縁部を有し、前記縁部は前記溝部内をスライド移動するカバーと、
基板を有し、前記基板上には複数の発光素子および少なくとも一つの駆動回路が設けられ、前記基板の両側部が前記溝部に係合されることによって前記収容空間内に設置される光源モジュールと、    
前記ケーシングの一側に嵌合される第１の接触部と、
前記ケーシングの他側に嵌合され、前記第１の接触部と共に前記光源モジュールが必要とする電源の供給に使用される第２の接触部と、を備えることを特徴とする発光点が外部から見えない照明装置。
【請求項２】
前記ケーシングは、半円筒形であり、透光材料から製造されることを特徴とする請求項１記載の発光点が外部から見えない照明装置。
【請求項３】
前記カバーは、半円筒形であり、光源からの光を均一に拡散させる材料から製造されることを特徴とする請求項２記載の発光点が外部から見えない照明装置。
【請求項４】
前記光源からの光を均一に拡散させる材料は、二酸化シリコンまたは二酸化チタンであることを特徴とする請求項３記載の発光点が外部から見えない照明装置。
【請求項５】
前記発光素子は、高輝度ＬＥＤであることを特徴とする請求項１記載の発光点が外部から見えない照明装置。
【請求項６】
前記駆動回路は、ＬＥＤ駆動回路であることを特徴とする請求項５記載の発光点が外部から見えない照明装置。
【請求項７】
前記発光素子は、前記基板上に等間隔に配列され、放出される光は前記カバーを通じて外部に放出されることを特徴とする請求項１記載の発光点が外部から見えない照明装置。
【請求項８】
前記溝部の厚さは、前記縁部の厚さと前記基板の厚さの和よりも若干厚いことを特徴とする請求項１記載の発光点が外部から見えない照明装置。
【考案の詳細な説明】
【技術分野】
【０００１】
本考案は、照明装置に関し、特に、光源からの光を均一に拡散させるカバーを有し、光源モジュールから放出された光をカバーによって均一に拡散させ、照明装置の発光点を外部から消滅させることができる照明装置に関する。
【背景技術】
【０００２】
蛍光灯は、家庭および工場などの照明として使用されている。しかし、蛍光灯は交流電源が使用されるので、フリッカ現象が発生し、使用者の目に悪い影響を与える。更に、蛍光灯は使用時に多くの電力を消費し、また、製造過程において、蛍光粉などの有毒物質を塗布する必要があり、これらの有毒物質は地球環境に悪い影響を与える。
【０００３】
現在、市場にはＬＥＤを光源としたランプが存在し、消費電力が少なく、地球環境にやさしいという長所を有する。しかし、ＬＥＤは強い指向性を有し、処理しない場合、ＬＥＤランプに発光点が発生し、この現象は使用者の目に悪い影響を与える。
【特許文献１】特開２００３−１００１１１号公報
【考案の開示】
【考案が解決しようとする課題】
【０００４】
上述の従来技術によるＬＥＤランプの欠点に鑑み、本考案は光源から放出された光を均一に拡散させ、照明装置の発光点を外部から消滅させて発光点が外部から見えない照明装置を提供するものである。
【０００５】
本考案の第１の目的は、発光点がない照明装置を提供することにある。
本考案の第２の目的は、光源からの光を均一に拡散するカバーを有し、光源モジュールから放出された光をカバーによって均一に拡散させることができる発光点がない照明装置を提供することにある。
【課題を解決するための手段】
【０００６】
上述の目的を解決するために、本考案は、発光点が外部から見えない照明装置を提供するものであり、両側部に溝部を有するケーシングと、ケーシングに蓋設されて収容空間を形成し、両側部に縁部を有し、縁部はケーシングの溝部内をスライド移動するカバーと、基板を有し、基板上には複数の発光素子および少なくとも一つの駆動回路を有し、基板の両側部がケーシングの溝部に係合されることによって収容空間内に設置される光源モジュールと、ケーシングの一側に嵌合される第１の接触部と、ケーシングの他側に嵌合され、第１の接触部と共に光源モジュールが必要とする電源を供給する第２の接触部とを備える。
【０００７】
すなわち、請求項１の考案は、発光点が外部から見えない照明装置であって、両側部に溝部を有するケーシングと、前記ケーシングに蓋設されて収容空間を形成し、両側部に縁部を有し、前記縁部は前記溝部内をスライド移動するカバーと、基板を有し前記基板上には複数の発光素子および少なくとも一つの駆動回路が設けられ、前記基板の両側部が前記溝部に係合されることによって前記収容空間内に設置される光源モジュールと、前記ケーシングの一側に嵌合される第１の接触部と、前記ケーシングの他側に嵌合され、前記第１の接触部と共に前記光源モジュールが必要とする電源の供給に使用される第２の接触部と、を備えることを特徴とする。
【０００８】
請求項２の考案は、請求項１記載の発光点が外部から見えない照明装置であって、前記ケーシングは、半円筒形であり、透光材料から製造されることを特徴とする。
請求項３の考案は、請求項１記載の発光点が外部から見えない照明装置であって、前記カバーは、半円筒形であり、光源からの光を均一に拡散させる材料から製造されることを特徴とする。
請求項４の考案は、請求項３記載の発光点が外部から見えない照明装置であって、前記光源からの光を均一に拡散させる材料は、二酸化シリコンまたは二酸化チタンであることを特徴とする。
【０００９】
請求項５の考案は、請求項１記載の発光点が外部から見えない照明装置であって、前記発光素子は、高輝度ＬＥＤであることを特徴とする。
請求項６の考案は、請求項５記載の発光点が外部から見えない照明装置であって、前記駆動回路は、ＬＥＤ駆動回路であることを特徴とする。
請求項７の考案は、請求項１記載の発光点が外部から見えない照明装置であって、前記発光素子は、前記基板上に等間隔に配列され、放出される光は前記カバーを通じて外部に放出されることを特徴とする。
請求項８の考案は、請求項１記載の発光点が外部から見えない照明装置にあって、前記溝部の厚さは、前記縁部の厚さと前記基板の厚さの和よりも若干厚いことを特徴とする。
【考案の効果】
【００１０】
本考案の発光点が外部から見えない照明装置は、光源からの光を均一に拡散できるカバーを有し、光源モジュールから放出された光をカバーによって均一に拡散させることによって発光点を消滅させることができる。
【考案を実施するための最良の形態】
【００１１】
本考案の目的、特徴および効果を示す好適な発光点が外部から見えない照明装置の実施例を図に沿って詳細に説明する。
図１は、本考案の一実施例による発光点がない照明装置を示す分解斜視図である。図２は、本考案の一実施例による発光点がない照明装置の組立後の状態を示す斜視図である。図３は、本考案の一実施例による発光点が外部から見えない照明装置の組立後の状態を示す断面図である。
【００１２】
図に示すように、本考案の実施例である発光点が外部から見えない照明装置は、ケーシング１０、カバー２０、光源モジュール３０、第１の接触部４０および第２の接触部５０から構成される。
ケーシング１０は半円筒形であり、透光材料から製造され、例えばガラスまたはプラスチックから製造されるが、それだけに制限されない。また、その両側部には溝部１１がそれぞれ設けられる。
【００１３】
カバー２０は、ケーシング１０に蓋設されて収容空間２１を形成する。カバー２０の両側部には縁部２２が設けられ、縁部２２はケーシング１０の溝部１１内をスライド移動することができる。カバー２０は半円筒形であり、光源からの光を均一に拡散させる材料から製造され、例えば二酸化シリコンまたは二酸化チタンなどから製造されるが、それらに制限されない。光源モジュール３０から放出された光は均一に拡散され、発光点が消滅する。
【００１４】
光源モジュール３０は、基板３１を有し、基板３１上には複数の発光素子３２および少なくとも一つの駆動回路３３が設けられる。基板３１の両側部がケーシング１０の溝部１１に係合されることによって収容空間２１内に設置される。複数の発光素子３２は、例えば高輝度ＬＥＤであるが、それだけに制限されず、等間隔に基板３１上に配列される。駆動回路３３は複数の発光素子３２に接続され、複数の発光素子３２を駆動するのに使用される。これは従来技術であり、本考案の重点ではないので、更なる説明は行わない。
【００１５】
なお、第１の接触部４０は、ケーシング１０の一側に嵌合され、例えば左側に設置されるが、制限はなく、駆動回路３３と接続され、必要とされる直流電源の供給に使用される。
第２の接触部５０は、ケーシング１０の他側に嵌合され、例えば右側に設置されるが、制限はなく、駆動回路３３と接続され、第１の接触部４０と共に、光源モジュール３０が必要とする直流電源を供給するのに使用される。
【００１６】
図２に示すように、本考案を組立てるとき、先ず、複数の発光素子３２および少なくとも一つの駆動回路３３を基板３１上に半田接続する。次に、基板３１をケーシング１０の溝部１１から収容空間２１内に設置する。次に、カバー２０の縁部２２をケーシング１０の溝部１１内にスライド移動させてカバー２０を位置決めする。次に、第１の接触部４０を駆動回路３３と接続した後、ケーシング１０の左側に嵌合する。最後に、第２の接触部５０を駆動回路３３と接続した後、ケーシング１０の右側に嵌合する。このようにして、本考案の発光点がない照明装置が完成する。第１の接触部４０および第２の接触部５０に通電された後、駆動回路３３が複数の発光素子３２を発光させ、放出された光はカバー２０によって均一に拡散され、複数の発光素子３２の発光点は外部から見えない。
【００１７】
図３に示すように、本考案のケーシング１０の溝部１１の厚さは、カバー２０の縁部２２の厚さと基板３１の厚さの和よりも若干厚いので、光源モジュール３０の基板３１を収容できる以外に、更に、カバー２０の縁部２２をスライド移動させることができ、それによって、ケーシング１０、光源モジュール３０およびカバー２０の組立および分解を容易に行なうことができる。従って、本考案による発光点が外部から見えない照明装置は従来技術によるＬＥＤランプよりも進歩性を有する。
【００１８】
以上のように、本考案の発光点が外部から見えない照明装置は、光源からの光を均一に拡散できるカバー２０を有し、光源モジュール３０から放出された光をカバー２０によって均一に拡散させることによって、発光点を消滅させることができるので、従来技術によるＬＥＤランプよりも進歩性を有する。
【００１９】
以上の説明は、本考案の実施例を示したものであり、本考案の主旨に基づく変更または修飾は、全て本考案の実用新案請求の範囲に含まれる。
【図面の簡単な説明】
【００２０】
【図１】本考案の一実施例による発光点が外部から見えない照明装置を示す分解斜視図である。
【図２】本考案の一実施例による発光点が外部から見えない照明装置の組立後の状態を示す斜視図である。
【図３】本考案の一実施例による発光点が外部から見えない照明装置の組立後の状態を示す断面図である。
【符号の説明】
【００２１】
１０  ケーシング
１１  溝部
２０  カバー
２１  収容空間
２２  縁部
３０  光源モジュール
３１  基板
３２  発光素子
３３  駆動回路
４０  第１の接触部
５０  第２の接触部
【図１】
0003148022.tif 000003
【図２】
0003148022.tif 000004
【図３】
0003148022.tif 000005